(57)【要約】      （修正有）【課題】製造時間や製造コストを抑制することができる衣服を提供する。【解決手段】衣服は、後側部に、使用者が衣服の内側に安全帯２を装着するとき、安全帯に接続する命綱３を挿通させる開口部２２を有し、開口部は、命綱を挿通させる取出し筒部２１を有し、取出し筒部は、一の筒端部が開口部の縁辺に沿って後側部の表側に接合されている。【選択図】図５
0003223836.tif 000002
【実用新案登録請求の範囲】
【請求項１】
使用者の胸部および腹部側を覆う前側部と、前記使用者の背中側を覆う後側部と、を備える衣服であって、
前記後側部は、
前記使用者が該衣服の内側に安全帯を装着するとき、前記安全帯に接続する命綱を挿通させる開口部を有し、
前記開口部は、
前記命綱を挿通させる略筒状に形成された取出し筒部を有し、
前記取出し筒部は、
一の筒端部が前記開口部の縁辺に沿って前記後側部の表側に接合されている、
ことを特徴とする衣服。
【請求項２】
前記取出し筒部の一の筒端部を前記後側部の表側に重ねて縫合した、
ことを特徴とする請求項１に記載の衣服。
【請求項３】
前記開口部は、
前記取出し筒部の一の筒端部と前記後側部の表側との接合部位を覆う口布部を備える、
ことを特徴とする請求項１または請求項２に記載の衣服。
【請求項４】
前記口布部を前記取出し筒部の一の筒端部および前記後側部の表側に重ねて縫合した、
ことを特徴とする請求項３に記載の衣服。
【請求項５】
前記取出し筒部が、前記後側部と前記口布部との間に収納される、
ことを特徴とする請求項３または請求項４に記載の衣服。
【請求項６】
前記開口部から前記後側部の裏側に収納された状態と、前記開口部から該衣服の外側へ延された状態とを切り替え可能である、
ことを特徴とする請求項１から請求項４のいずれか１項に記載の衣服。
【請求項７】
前記取出し筒部は、
他の筒端部の開口部位を締付ける締付手段を有する、
ことを特徴とする請求項１から請求項６のいずれか１項に記載の衣服。
【請求項８】
前記後側部に、該衣服の内部へ送風を行う送風ファンが取り付けられる取付孔を備えた、
ことを特徴とする請求項１から請求項７のいずれか１項に記載の衣服。
【考案の詳細な説明】
【技術分野】
【０００１】
本開示は、ハーネス型の安全帯とともに着用する衣服に関する。
【背景技術】
【０００２】
例えば、建築工事などを行う作業現場では、怪我などから身体を保護する衣服を着用している。この衣服は、厚手で丈夫な生地を使用していることから、着用した状態において内部の温度上昇を抑制するファン等を備えた衣服が提案されている。
また、例えば、足場の悪い高所の作業現場では、作業者の安全を確保するため、作業者にハーネス型の安全帯を着用させ、この安全帯に命綱を接続して例えばアンカーなどの構造物に係留することが行われている。
【０００３】
上記の安全帯等は、作業着等の上着の内側に装着する場合があり、安全帯等の装着位置がずれる、安全帯等が緩む、外れるなどの障害発生を防ぐようにしている。
上記のように上着（衣服）の内側に安全帯を装着する場合には、例えば、安全帯に接続した命綱（ワイヤー）等を外側へ引き出す開口部（開閉手段）に取出し筒部（ワイヤー貫通手段）を衣服等に備え（例えば、特許文献１）、このような衣服等を安全帯の上に重ねて着用している。
【先行技術文献】
【特許文献】
【０００４】
【特許文献１】登録実用新案第３１９８７７８号公報
【考案の概要】
【考案が解決しようとする課題】
【０００５】
従来の衣服等は、命綱を外側へ引き出す開口部に取出し筒部を備えるとき、当該取出し筒部の基端部分を衣服の内部側に接合（縫合）しているので、縫合等を行う際に手間取ることが多くなる。そのため、衣服等の製造に要する時間が長くなるとともに、製造に要する工程が繁雑になり、製造時間や製造コストの抑制が難しくなる。
【０００６】
本開示は、上記の問題点に鑑みなされたもので、製造時間や製造コストを抑制することができる衣服を提供する。
【課題を解決するための手段】
【０００７】
本開示による衣服は、使用者の胸部および腹部側を覆う前側部と、使用者の背中側を覆う後側部とを備える衣服であって、後側部は、使用者が衣服の内側に安全帯を装着するとき、安全帯に接続する命綱を挿通させる開口部を有し、開口部は、命綱を挿通させる略筒状に形成された取出し筒部を有し、取出し筒部は、一の筒端部が開口部の縁辺に沿って後側部の表側に接合されていることを特徴とする。
【０００８】
また、本開示による衣服は、取出し筒部の一の筒端部を後側部の表側に重ねて縫合したことを特徴とする。
【０００９】
また、本開示による衣服は、開口部が、取出し筒部の一の筒端部と後側部の表側との接合部位を覆う口布部を備えることを特徴とする。
【００１０】
また、口布部を備える衣服は、口布部を取出し筒部の一の筒端部および後側部の表側に重ねて縫合したことを特徴とする。
【００１１】
さらに、口布部を備える衣服は、取出し筒部が後側部と口布部との間に収納されることを特徴とする。
【００１２】
また、本開示による衣服は、開口部から後側部の裏側に収納された状態と、開口部から衣服の外側へ延された状態とを切り替え可能であることを特徴とする。
【００１３】
また、本開示による衣服は、取出し筒部が、他の筒端部の開口部位を締付ける締付手段を有することを特徴とする。
【００１４】
また、本開示による衣服は、後側部に、衣服の内部へ送風を行う送風ファンが取り付けられる取付孔を備えたことを特徴とする。
【考案の効果】
【００１５】
本開示によれば、安全帯の装着を可能にした衣服等を製造する際に、縫合等による接合の工程を簡易にして、安全帯に接続した命綱等を引き出す開口部を形成することができ、衣服等の製造に要する時間、ならびに製造コストを抑制することができる。
【図面の簡単な説明】
【００１６】
【図１】本開示の実施の形態による衣服の構成を示す正面図である。
【図２】図１の衣服の背後側の構成を示す背面図である。
【図３】図２の開口部の構成を示す断面図である。
【図４】図２の開口部から取出し筒部を延した状態を示す斜視図である。
【図５】使用者が衣服および安全帯を装着した状態を示す説明図である。
【考案を実施するための形態】
【００１７】
以下、この考案の実施の一形態を説明する。
図１は、本開示の実施の形態による衣服１の構成を示す正面図である。作業服等である衣服１は、例えば、ポリエステルおよび綿を混合した生地によって形成されており、衣服１には使用者の身体を怪我などから保護するため、主な部分に厚手の上記生地を使用している。
衣服１は、使用者の左右の各腕を挿通させる袖部１３，１４、衣服１の上端部分となる襟部１１、衣服１の下端部分となる裾部１２を備え、前身頃である前側部１０が図中左右方向に開くように（前開きとなるように）構成されている。
また、衣服１は、前側部１０に、図示されないファスナーやボタンなどを備えて、使用者が衣服１を装着したときに当該前開き部分を閉じることができるように構成されている。
前側部１０は、適当な位置に複数のポケット部を備えており、例えば、作業に要する小物などを収納できるように構成されている。
【００１８】
図２は、図１の衣服１の背後側の構成を示す背面図である。衣服１の後見頃である後側部２０は、使用者が衣服１を装着したとき、例えば、左右肩甲骨の間となる位置に開口部２２を備えている。
開口部２２は、例えば、使用者が衣服１を着る前に装着した安全帯２に接続した命綱３を当該衣服１の外側へ引き出すように設けられており、命綱３を挿通させる取出し筒部２１などを備えている。なお、安全帯２は、後述する。
後側部２０は、開口部２２の下方に送風ファン取付部２３を備え、当該送風ファン取付部２３に、電動ファンである送風ファン２４を取り付け固定するように構成されている。
送風ファン取付部２３は、例えば、メッシュ状の生地や、送風ファン２４の外周部位に当接して支持する（位置決めする）部材等を備えてポケット状に形成されている。
【００１９】
具体的には、例えば、送風ファン２４は、ファン本体を覆うファンガード等の筐体を備えている。送風ファン取付部２３は、例えば、適度な剛性を有する樹脂等によって形成された位置決め部材をポケット状の内部に設置固定している。
上記の位置決め部材は、送風ファン２４のファンガード等（筐体）を挿入させる取付け孔を有し、当該取付け孔に送風ファン２４の筐体が嵌合するように構成されている。また、位置決め部材は、送風ファン取付部２３のポケット状の内部において、上記の取付け孔を衣服１の内側部１５に露出させるように設置されている。
送風ファン取付部２３は、ポケット状の内部に送風ファン２４が挿入され、上記の取付け孔に送風ファン２４の筐体を嵌合させると、衣服１の内側部１５において所定方向に送風が行われるように、送風ファン２４の向きの固定、ならびに送付ファン２４の位置決めを行うように構成されている。
【００２０】
また、送風ファン取付部２３は、衣服１の表側となる部分に上記のメッシュ状の生地を配置し、当該送風ファン２４を動作させると、衣服１の内部に外気を導入するように構成されている。
ここで例示した衣服１は、開口部２２の下側、即ち、裾部１２の近傍において、後側部２０の左右２個所に送風ファン取付部２３を設置し、２つの送風ファン２４によって衣服１の内部へ送風を行うように構成されている。
なお、衣服１は、後側部２０に送風ファン取付部２３を設置することなく構成してもよく、即ち、送風ファン２４によって衣服１の内側部１５に送風を行わないように構成してもよい。
【００２１】
図３は、図２の開口部２２の構成を示す断面図である。この図は、取出し筒部２１を開口部２２の外側へ延したときの断面構成を示したもので、図中左側が衣服１の表側（外側）で、図中右側が衣服１の裏側もしくは内側部１５である。
図４は、図２の開口部２２から取出し筒部２１を延した状態を示す斜視図である。
衣服１の開口部２２は、例えば、横長に形成され、上下方向に開閉するように構成されている。なお、開口部２２を縦長に形成し、衣服１の左右方向に開閉するように構成してもよい。
開口部２２は、衣服１の上下方向に各々配置される開口縁辺を有し、これら２つの開口縁辺をそれぞれ覆う２つの口布部２２ａを備えている。なお、口布部２２ａを備えることなく、開口部２２を構成してもよい。
【００２２】
取出し筒部２１は、例えば、衣服１に使用されている前述の生地を用いて略筒状に形成され、適度な強度と柔軟性を有している。
取出し筒部２１は、上記の柔軟性を備えることにより、図４等に示したように、開口部２２から衣服１の外側に向かって延した状態とすることができ、また、開口部２２の内部に、即ち、衣服１の内側部１５に収納させることもできるように構成されている。
なお、前述の開口縁辺にファスナー等（図示省略）を備え、開口部２２を閉じることができるように構成してもよい。
【００２３】
取出し筒部２１は、開口部２２から衣服１の外側へ延したとき、図４に示した取出し筒部２１の先端側（他の筒端部）に、開口縁周に沿って締付紐２１ｂを挿通させた締付口部２１ａを備え、締付紐２１ｂの締め付けによって、当該先端側の開口部位が閉じるように構成されている。
締付紐２１ｂの端部には、図示を省略したストッパー機構が備えられており、このストッパー機構は、締付紐２１ｂによって締付口部２１ａの締付けを行ったとき、当該締付紐２１ｂが緩むことを防ぐように構成されている。
なお、取出し筒部２１は、締付口部２１ａ、締付紐２１ｂを備えることなく構成してもよい。
【００２４】
取出し筒部２１は、図３に示したように、筒状長手方向の基端側の開口部位（一の筒端部）が、後側部表側２０ａに固定されている。
詳しくは、取出し筒部２１は、基端側の開口部位を、当該取出し筒部２１の外周側へ（筒孔の外側へ）向かって折り曲げ、当該折り曲げ部位を後側部表側２０ａに当接させ（重ねて）、これらの重ね部位を縫合することによって固定されている。
なお、取出し筒部２１と後側部表側２０ａとの接合は、例えば、接着剤を用いた接着でもよく、縫合による接合に限定されない。
【００２５】
口布部２２ａは、開口部２２を覆うフラップのように備えられている。また、口布部２２ａは、フラップの基端側となる部位を適当に折り重ね、この部位を、取出し筒部２１の基端側の開口部位、および、開口部２２の開口縁辺等となる部位に重ねている。
即ち、開口部２２は、口布部２２ａおよび取出し筒部２１を、後側部表側２０ａに重ねて構成されている。後側部裏側２０ｂには、取出し筒部２１、口布部２２ａなどが接合されていない。
【００２６】
開口部２２は、上記の口布部２２ａ、取出し筒部２１を後側部表側２０ａに重ねた所定部位を縫合部２２ｂとし、当該縫合部２２ｂに縫合を施すことによって形成されている。
また、取出し筒部２１と後側部表側２０ａとを接合する縫合部２２ｂは、送風ファン２４を稼働させて衣服１の内側部１５に送風を行ったとき、この送風が衣服１の外部へ漏れ出すことを抑制するように（好ましくは、漏れ出すことを防ぐように）、隙間なく（好ましくは若干の気密性が生じるように）縫合されている。
【００２７】
取出し筒部２１は、前述のように適度な柔軟性を有しており、例えば、締付紐２１ｂならびに締付口部２１ａを有する先端側等が、図３の矢印Ａが示す双方向に移動することができる。
即ち、取出し筒部２１を動かすことによって、衣服１の外側へ延した状態から衣服１の内側部１５に収納する状態とすることや、衣服１の内側部１５に収納された状態から衣服１の外側へ延した状態にすることもできる。
縫合部２２ｂは、上記のように取出し筒部２１を動かした場合に、取出し筒部２１と後側部表側２０ａとの接合部分が離間しない（損傷しない）強度を有するように縫合されている。
縫合部２２ｂのうち、取出し筒部２１が後側部表側２０ａに縫合された部位は、口布部２２ａに覆われている。
なお、取出し筒部２１と後側部表側２０ａとの縫合、取出し筒部２１と口布部２２ａとの縫合、口布部２２ａと後側部表側２０ａとの縫合は、上記各部を個別に縫合してもよく、また、上記各部の縫合を適当にまとめて行うようにしてもよい。
【００２８】
図５は、使用者５０が衣服１および安全帯２を装着した状態を示す説明図である。
安全帯２は、例えば、使用者５０の両脇部、肩部、胸部、背中部および腹部（腰部）等に装着するハーネス型に形成されたもので、左右の肩甲骨の間となる位置に接続機構等を備え、命綱３の先端を接続するように構成されている。
使用者５０が安全帯２を装着使用するとき、衣服１の背中部分に備えた取出し筒部２１に命綱３を挿通して安全帯２に接続する。
【００２９】
次に、締付紐２１ｂを締付けて、締付口部２１ａの開口部位を閉じる（もしくは開口部位を小さくする）。換言すると、締付口部２１ａの開口部位を小さくすることによって、取出し筒部２１に挿通されている命綱３の外周部位を締め付ける。
上記のように取出し筒部２１に命綱３を挿通し、締付口部２１ａを閉じた状態として、衣服１に備えた送風ファン２４を稼働させる。
送風ファン２４によって内側部１５に生じた送風は、当該衣服１の背中部分（開口部２２等）から外部へ漏れることが防がれ（抑制され）、使用者５０の身体に、当該送風が充分に当たるようになり、体温上昇を効率よく抑えることができる。
【００３０】
本開示の衣服１は、後側部表側２０ａに取出し筒部２１および口布部２２ａを重ねて縫合するように構成したので、製造時に縫合を施すことが容易になり、製造工程を少なく抑えることが可能になる。即ち、製造時間を短縮するとともに製造コストを抑制することができる。
また、取出し筒部２１を後側部表側２０ａに重ねて縫合した部位を、口布部２２ａによって覆うように構成したので、衣服１の外観を良好にすることができる。
【００３１】
また、本実施形態では、取出し筒部２１を後側部裏側２０ｂに収納された状態と、衣服１の外側へ延された状態とを切り替えできる例について説明したが、取出し筒部２１は、後側部裏側２０ｂではなく、後側部表側２０ａと口布部２２ａとの間に形成される空間Ｓに収納する構成とすることもできる。このように、取出し筒部２１を後側部表側２０ａの空間Ｓに収納することで、着用者へ違和感を生じさせない。
【符号の説明】
【００３２】
１      衣服
２      安全帯
３      命綱
１０    前側部
１１    襟部
１２    裾部
１３，１４  袖部
１５    内側部
２０    後側部
２０ａ  後側部表側
２０ｂ  後側部裏側
２１    取出し筒部
２１ａ  締付口部
２１ｂ  締付紐
２２    開口部
２２ａ  口布部
２２ｂ  縫合部
２３    送風ファン取付部
２４    送風ファン
５０    使用者
Ｓ      空間
【図１】
0003223836.tif 000003
【図２】
0003223836.tif 000004
【図３】
0003223836.tif 000005
【図４】
0003223836.tif 000006
【図５】
0003223836.tif 000007